(57)【要約】【課題】ヤガなどの夜行性の虫の防除効果を高めるとともに、夜行性の虫の行動を抑制する行動抑制光によって誘引される昼行性の虫による被害も低減することができる虫防除方法および虫防除装置を提供する。【解決手段】虫防除装置を、虫を防除したい防除区域１０とその周辺部に対して、夜行性の虫の行動を抑制する行動抑制光を照射する複数台の行動抑制用光源１と、虫を誘引する誘引光を防除区域１０内に照射する誘引用光源３を具備した少なくとも１台の捕虫器２とで構成する。【選択図】図１
2005151868.tif 000002
【特許請求の範囲】
【請求項１】
虫を防除したい防除区域とその周辺部に対して、夜行性の虫の行動を抑制する行動抑制光を照射するとともに、虫を誘引する誘引光を照射する光源を備えた捕虫器を少なくとも１台設置し、当該捕虫器からの誘引光を上記防除区域内に照射させることを特徴とする虫防除方法。
【請求項２】
捕虫器の光源から防除区域の中央部に向けて誘引光を照射させることを特徴とする請求項１記載の虫防除方法。
【請求項３】
防除区域の中央部に向けて誘引光を照射する光源を備えた捕虫器を、防除区域の縁に少なくとも１台設置することを特徴とする請求項２記載の虫防除方法。
【請求項４】
防除区域に照射される誘引光の全放射エネルギー量が、防除区域に照射される行動抑制光の全放射エネルギー量の２％以上且つ５０％以下の範囲内であることを特徴とする請求項１記載の虫防除方法。
【請求項５】
誘引光を照射する光源を、地面から防除区域で育成される植物の最大高よりも０．５ｍ上側の範囲内に設置することを特徴とする請求項１記載の虫防除方法。
【請求項６】
捕虫器の光源を、少なくとも日没後の３時間と日の出前の３時間に点灯させることを特徴とする請求項１記載の虫防除方法。
【請求項７】
捕虫器の光源の点灯中に行動抑制光の光量に時間的な変化を持たせたことを特徴とする請求項１記載の虫防除方法。
【請求項８】
虫を防除したい防除区域とその周辺部に対して、夜行性の虫の行動を抑制する行動抑制光を照射する行動抑制用光源と、虫を誘引する誘引光を防除区域内に照射する誘引用光源を具備した少なくとも１台の捕虫器とを備えて成ることを特徴とする虫防除装置。
【請求項９】
誘引用光源から防除区域の外側に向かって照射される誘引光を遮光する遮光部材を防除区域の縁に配置したことを特徴とする請求項８記載の虫防除装置。
【請求項１０】
防除区域は農業用ハウスの内部の領域であって、農業用ハウスの窓材が、行動抑制光に対しては透光性を有するとともに、少なくとも誘引光に含まれる主ピーク波長の光に対して遮光性を有する材料により形成されており、この窓材で遮光部材を構成したことを特徴とする請求項９記載の虫防除装置。
【発明の詳細な説明】
【技術分野】
【０００１】
本発明は、虫防除方法および虫防除装置に関するものである。
【背景技術】
【０００２】
従来、吸汁性ヤガ類などの害虫による梨や桃などの果実に対する被害や、ヤガ類の幼虫による花卉や野菜の被害を抑制するために農薬が使用されてきたが、農作物の安全性を高めたり、農薬散布の労力を軽減したり、環境を保全するために農薬の使用量を減少させることが望まれている。
【０００３】
ところで夜行性のヤガ類の複眼は昼間は明適応、夜間は暗適応しており、圃場への飛来、吸汁、生殖、産卵といった行動は暗適応時にのみ行われるので、圃場などの防除区域を黄色蛍光灯で照明して、ヤガ類の複眼を明適応させることにより、吸汁や産卵など行動を抑制して、農作物への被害を抑制する虫防除方法が提案されている（例えば特許文献１参照）。
【０００４】
図１１はこのような虫防除方法を用いた虫防除装置の概略構成図であり、防除区域１０内に複数台の黄色蛍光灯からなる行動抑制用光源１を設置し、防除区域１０内の照度が防除対象の虫の複眼を明適応させることができる下限照度以上となるように黄色光（波長が４９０〜７００ｎｍの光）を照射している。例えばヤガ類では、その複眼を明適応させることができる下限照度が１ｌｘ程度であるので、防除区域１０内で１ｌｘ以上の照度が確保できるように、行動抑制用光源１の台数や配置が決定されている。なお図１２は行動抑制用光源１の分光分布を示しており、行動抑制用光源１は人間の標準分光視感効率に近い分光分布を有している。
【特許文献１】特開２００１−２５８４５４号公報
【発明の開示】
【発明が解決しようとする課題】
【０００５】
上述の虫防除方法では、防除対象の虫（ヤガなど）による被害を或る程度抑制できるものの、照明を行っていない暗黒区と比べて被害を半減できる程度で、被害を抑制する効果が不十分であった。そのため、上述の虫防除方法を用いた場合でも農薬が併用されており、農薬の使用量は通常使用量の半分程度にしか抑制できなかった。
【０００６】
また上述の虫防除方法では昼行性の虫には効果が無く、防除区域１０内で行動抑制用光源１を点灯させると、防除区域１０内にいる昼行性の虫（正の走光性を持つ虫）が活動を開始して、昼行性の虫による被害が発生し、また防除区域１０の外側にいる昼行性の虫が誘引されて、昼行性の虫による被害がさらに増加するという問題があった。
【０００７】
本発明は上記問題点に鑑みて為されたものであり、その目的とするところは、ヤガなどの夜行性の虫の防除効果を高めるとともに、夜行性の虫の行動を抑制する行動抑制光によって誘引される昼行性の虫による被害も低減できる虫防除方法および虫防除装置を提供することにある。
【課題を解決するための手段】
【０００８】
上記目的を達成するために、請求項１の発明は、虫を防除したい防除区域とその周辺部に対して、夜行性の虫の行動を抑制する行動抑制光を照射するとともに、虫を誘引する誘引光を照射する光源を備えた捕虫器を少なくとも１台設置し、当該捕虫器からの誘引光を上記防除区域内に照射させることを特徴とする。なお行動抑制光とは、ヤガなどの夜行性の虫の複眼を明適応させることでその行動を抑制する光であり、例えば波長が５００〜７００ｎｍの光である。また誘引光とは、夜行性の虫や行動抑制光によって活動が活発化された虫が正の走光性を持つような光であり、例えば波長が３００〜４５０ｎｍの光である。
【０００９】
請求項２の発明では、請求項１の発明において、捕虫器の光源から防除区域の中央部に向けて誘引光を照射させることを特徴とする。
【００１０】
請求項３の発明では、請求項２の発明において、防除区域の中央部に向けて誘引光を照射する光源を備えた捕虫器を、防除区域の縁に少なくとも１台設置することを特徴とする。
【００１１】
請求項４の発明では、請求項１の発明において、防除区域に照射される誘引光の全放射エネルギー量が、防除区域に照射される行動抑制光の全放射エネルギー量の２％以上且つ５０％以下の範囲内であることを特徴とする。
【００１２】
請求項５の発明では、請求項１の発明において、誘引光を照射する光源を、地面から防除区域で育成される植物の最大高よりも０．５ｍ上側の範囲内に設置することを特徴とする。
【００１３】
請求項６の発明では、請求項１の発明において、捕虫器の光源を、少なくとも日没後の３時間と日の出前の３時間に点灯させることを特徴とする。
【００１４】
請求項７の発明では、請求項１の発明において、捕虫器の光源の点灯中に行動抑制光の光量に時間的な変化を持たせたことを特徴とする。
【００１５】
請求項８の発明では、虫を防除したい防除区域とその周辺部に対して、夜行性の虫の行動を抑制する行動抑制光を照射する行動抑制用光源と、虫を誘引する誘引光を防除区域内に照射する誘引用光源を具備した少なくとも１台の捕虫器とを備えて成ることを特徴とする。
【００１６】
請求項９の発明では、請求項８の発明において、誘引用光源から防除区域の外側に向かって照射される誘引光を遮光する遮光部材を防除区域の縁に配置したことを特徴とする。
【００１７】
請求項１０の発明では、請求項９の発明において、防除区域は農業用ハウスの内部の領域であって、農業用ハウスの窓材が、行動抑制光に対しては透光性を有するとともに、少なくとも誘引光に含まれる主ピーク波長の光に対して遮光性を有する材料により形成されており、この窓材で遮光部材を構成したことを特徴とする。
【発明の効果】
【００１８】
以上説明したように、請求項１の発明では、夜行性の虫の行動を抑制する行動抑制光を防除区域とその周辺部に照射しているので、防除区域に侵入する夜行性の虫を減少させるとともに、防除区域内にいる夜行性の虫の活動を抑制して、夜行性の虫による被害を低減することができ、且つ、捕虫器の光源から虫を誘引する誘引光を防除区域内に照射させているので、防除区域内にいる夜行性の虫や行動抑制光で活動が活発化された昼行性の虫を誘引して捕虫することで、昼行性の虫による被害も減少させることができ、従来の虫防除方法に比べて虫の防除効果を高めることができる。したがって、本発明の虫防除方法を圃場に適用する場合には従来に比べて農薬の使用量をさらに低減することができる。
【００１９】
請求項２の発明では、捕虫器の光源から防除区域の中央部に向けて誘引光を照射させているので、防除区域の外側に漏れ出る誘引光が低減され、防除区域の外側にいる虫が誘引光によって防除区域の内側へ誘引されるのを抑制できる。
【００２０】
請求項３の発明では、防除区域の縁に設置された捕虫器の光源から、防除区域の中央部に向けて誘引光を照射しているので、請求項２の発明と同様に、防除区域の外側に漏れ出る誘引光が低減され、防除区域の外側にいる虫が誘引光によって防除区域の内側へ誘引されるのを抑制できる。
【００２１】
また、防除区域に照射される行動抑制光の全放射エネルギー量に対する誘引光の全放射エネルギー量の比率が大きすぎると、防除領域の外側から誘引されてくる虫の数が増加して、虫の防除効果が減少するため、上記の比率を２％以上且つ５０％以下の範囲内とするのが好ましい。
【００２２】
また、防除区域が圃場の場合には防除区域で育成される植物の上側に捕虫器の光源を設置すると、植物の影にいる虫に誘引光が照射されなくなるので、捕虫器の光源を、地面から防除区域で育成される植物の最大高よりも０．５ｍ上側の範囲内に設置することが好ましい。
【００２３】
また請求項６の発明では、捕虫器の光源を、少なくとも日没後の３時間と日の出前の３時間に点灯させており、薄明・薄暮の時間帯に捕虫器の光源を点灯させることで、虫を効率的に誘引することができる。
【００２４】
請求項７の発明では、捕虫器の光源の点灯中に行動抑制光の光量に時間的な変化を持たせているので、虫の複眼に刺激を与えることで、捕虫器からの誘引光による誘引効果を高めることができる。
【００２５】
請求項８の発明では、行動抑制光源により夜行性の虫の行動を抑制する行動抑制光を防除区域とその周辺部に照射しているので、防除区域に侵入する夜行性の虫を減少させるとともに、防除区域内にいる夜行性の虫の活動を抑制して、夜行性の虫による被害を低減することができ、且つ、捕虫器の誘引用光源から虫を誘引する誘引光を防除区域内に照射させているので、防除区域内にいる夜行性の虫や行動抑制光で活動が活発化された昼行性の虫を誘引して捕虫することにより、昼行性の虫による被害も減少させることができ、従来に比べて虫の防除効果を高めた虫防除装置を提供することができる。したがって、本発明の虫防除装置を圃場で使用する場合には従来に比べて農薬の使用量をさらに低減することができる。
【００２６】
請求項９の発明では、防除区域の縁に配置された遮光部材で、誘引用光源から防除区域の外側に向かって照射される誘引光を遮光しているので、防除区域の外側に漏れ出る誘引光を低減して、防除区域の外側にいる虫が誘引光によって誘引されるのを抑制でき、防除区域内の虫を効率良く防除することができる。
【００２７】
請求項１０の発明では、農業用ハウスの窓材を、行動抑制光に対しては透光性を有するとともに、少なくとも誘引光に含まれる主ピーク波長の光に対して遮光性を有する材料により形成し、この窓材で遮光部材を構成しているので、農業用ハウスの外側に漏れ出る誘引光を低減して、農業用ハウスの外側にいる虫が誘引光によって誘引されるのを抑制でき、農業用ハウス内の虫を効率良く防除することができる。そのうえ、農業用ハウスの窓材で遮光部材を兼用しているので、遮光部材を新たに取り付ける手間を省くこともできる。
【発明を実施するための最良の形態】
【００２８】
本発明の虫防除方法を用いた虫防除装置を圃場に適用した実施形態を図面に基づいて説明する。
【００２９】
図１は虫防除装置の設置状態を示した断面図であり、この虫防除装置は、虫を防除したい圃場１０（防除区域）とその周辺部に対して、夜行性の虫の行動を抑制する行動抑制光を照射する行動抑制用光源１と、虫を誘引する誘引光を圃場１０内に照射する誘引用光源３を具備した少なくとも１台（本実施形態では例えば２台）の捕虫器２とで構成される。尚、図中の矢印は行動抑制用光源１から照射される行動抑制光、誘引用光源３から照射される誘引光を夫々示しており、他の図でも同様である。
【００３０】
行動抑制用光源１は例えば黄色蛍光灯からなり、ヤガなどの夜行性の虫の複眼を明適応させることでその行動（圃場１０への飛来、吸汁、産卵などの行動）を抑制する光を照射するもので、例えば波長が５００〜７００ｎｍの光を照射する。そして、圃場１０内の照度が防除対象の虫の複眼を明適応させることができる下限照度（ヤガの場合は１ｌｘ程度）以上となるように、１乃至複数台（本実施形態では例えば３台）の行動抑制用光源１が圃場１０内に配置されている。
【００３１】
一方、２台の捕虫器２は圃場１０の両端にそれぞれ配置されており、誘引光を照射する蛍光灯のような誘引用光源３と、誘引用光源３から照射された誘引光を反射して、反射光を圃場１０の中央部側に向けて照射させる反射板４と、誘引用光源３からの誘引光に誘引されて集まった虫を捕虫するトラップ部５とでそれぞれ構成されている。ここで、誘引用光源３から照射される誘引光とは、夜行性の虫や、行動抑制光によって活動が活発化された昼行性の虫が正の走光性を持つような波長の光であり、例えば波長が３００〜４５０ｎｍの紫外領域の光である。図３は誘引用光源３の分光特性と捕虫対象の虫の走光性特性を示す図であり、誘引用光源３の分光分布（図３のイ）のピーク波長は、虫の走光性特性（図３のロ）のピーク波長と略一致している。
【００３２】
本実施形態の虫防除装置は以上のような構成を有しており、周囲が暗くなると行動抑制用光源１から夜行性の虫の行動を抑制する行動抑制光を圃場１０とその周辺部に照射しているので、圃場１０に侵入する夜行性の虫を減少させるとともに、圃場１０内にいる夜行性の虫の行動を抑制して、夜行性の虫による被害を低減することができる。しかも、捕虫器２の誘引用光源３から虫を誘引する誘引光を圃場１０内に照射させているので、圃場１０内にいる夜行性の虫や、行動抑制用光源１からの光で活動が活発化された昼行性の虫を誘引して捕虫することができ、夜行性の虫と昼行性の虫の双方による農作物への被害をさらに低減することができる。したがって従来の虫防除装置に比べて虫の防除効果を高めることができ、その結果農薬の使用量をさらに低減することができる。
【００３３】
ところで、行動抑制用光源１から防除区域である圃場１０内に照射される行動抑制光の全放射エネルギー量を１００％としたときに、捕虫器２の誘引用光源３から圃場１０内に照射される誘引光の全放射エネルギー量の比率が大きすぎると、圃場１０の外側から誘引されてくる虫の数が増加して、虫の防除効果が減少するため、行動抑制光の全放射エネルギー量を１００％としたときに誘引光の全放射エネルギー量を２％以上且つ５０％以下の範囲内とするのが好ましく、本実施形態では行動抑制光の全放射エネルギー量に対して、誘引光の全放射エネルギー量を２０〜３０％の範囲内に設定してある。
【００３４】
また本実施形態の虫防除装置は、圃場１０で作物に対する被害を低減するために用いられるのであるが、捕虫器２の誘引用光源３を作物の最大高さに比べて遙かに高い位置に設置すると、作物の葉の裏側や作物の影になって誘引光が照射されない場所が発生する。そこで、図４（ａ）に示すように捕虫器２の誘引用光源３を、圃場１０の地面から作物１１の最大高さＨよりも０．５ｍ上側の範囲内に設置するのが好ましく、作物１１の影になる場所ができにくく、圃場１０内の隅々まで誘引光を照射させることができる。
【００３５】
また、行動抑制用光源１は圃場１０の全体を照射できるように比較的高い位置に設置されているため、作物１１の葉の裏側や果実の裏側には行動抑制光が当たりにくくなっている。そこで、図５（ａ）（ｂ）に示すように、作物１１の近傍の地面付近に行動抑制用光源１から照射される行動抑制光を反射して、反射光を葉の裏側や果実の裏側に照射させる複数の反射板６を配置しても良い。複数の反射板６の設置角度はそれぞれ仰角が０〜４５度の範囲となるように設置するのが好ましく、反射板６で反射した行動抑制光を作物１１の葉の裏側や果実の裏側に照射させることで、葉の裏側や果実の裏側など作物１１の影に隠れている虫にも行動抑制光を照射してその行動を抑制し、これらの虫による作物１１への被害を低減することができる。なお、反射板６を設置する代わりに、図６に示すように行動抑制用光源１からの行動抑制光を捕虫器２が備える反射板４で反射して、作物１１の影となる場所に照射させるようにしても良く、上述と同様に、作物１１の影に隠れている虫の行動を抑制して、これらの虫による作物１１への被害を低減することができる。なお、作物１１の成長に合わせて反射板４，６による反射角度を調整できるように、反射板４，６の設置角度を可変できるような手段を備えることが好ましい。また反射板４，６の材料としてはアルミニウムやステンレスなどの反射率の高い材料が好ましく、また反射板４，６に白、青、黄色などの色塗装を施すことで、行動抑制用光の反射率を高めるようにしても良い。
【００３６】
また図４（ｂ）は行動抑制用光源１および捕虫器２の別の配置例を示しており、トマトが育成される約２０ａの長方形状の圃場１０に、複数台の行動抑制用光源１を長手方向に並べて並行配置するとともに、圃場１０の四方の縁に４台の捕虫器２の誘引用光源３を配置し、さらに圃場１０の中央に行動抑制用光源１と並行に捕虫器２の誘引用光源３を配置してある。この圃場１０について光源の点灯条件を変えて、虫による食害状況を調査した結果、表１に示すような結果が得られた。
【００３７】
【表１】
2005151868.tif 000003
【００３８】
表１は暗黒区で農薬を使用していない場合を１００として食害状況を評価した結果であり、農薬を従来の約半分使用した場合、農薬を全く使用していない場合の両方とも従来の虫防除方法（行動抑制用光源１のみ）に比べて本発明の虫防除方法（行動抑制用光源１と捕虫器２の併用）の方が、ヤガなどの夜行性の虫やオンシツコナジラミ、ハモグリバエなどの昼行性の虫による食害を低減することができ、本発明の虫防除方法では全く農薬を使用しない場合でも、従来と同じ量だけ農薬を使用した暗黒区と同レベルまで食害を低減することができた。
【００３９】
ところで、行動抑制用光源１および誘引用光源３は図示しない点灯制御部によって日没から日の出までの間点灯され続けるのであるが、行動抑制用光源１又は誘引用光源３の一方が点灯中に他方を消灯させることで、虫を誘引する効果をさらに高めることができる。
【００４０】
例えば図７（ａ）（ｂ）に示すように日没後の３時間（期間ＴＡ）と日の出前の３時間（期間ＴＢ）の間だけ、誘引用光源３を点灯させるようにしても良い。日没後の３時間と日の出前の３時間（つまり薄暮、薄明の時間帯）は或る程度の明るさがあり、昼行性の虫も活動していると考えられるので、この期間だけ誘引用光源３を点灯させることで効率的に虫を捕虫することができる。
【００４１】
また、図８（ａ）（ｂ）に示すように、誘引用光源３を日没から日の出までの間点灯させ続けた状態で、行動抑制用光源１を１時間に数回（１〜３回程度）、１回当たり数分（１〜５分程度）だけ消灯させたり、行動抑制用光源１の光量を周期的に明暗２段階に変化させるようにしても良く、行動抑制用光源１の光量を時間的に変化させることで、虫の複眼に対して刺激を与え、誘引用光源３からの誘引光による誘引効果を向上させることができる。
【００４２】
また、図９（ａ）（ｂ）に示すように、日没後の３時間（期間ＴＡ）と日の出前の３時間（期間ＴＢ）の間だけ誘引用光源３を点灯させ、誘引用光源３の点灯中は行動抑制用光源１を間欠的に点灯させるとともに、誘引用光源３の消灯中は行動抑制用光源１を間欠的に点灯させる期間とその光量を明暗２段階に変化させる期間とを設けるようにしても良く、上述と同様に誘引用光源３の点灯中に行動抑制用光源１の光量を時間的に変化させることで、虫の複眼を刺激し、誘引光による誘引効果を向上させることができる。
【００４３】
なお、下記の表２は各光源１，３を日没から日の出まで点灯させ続けた場合（表２のＡ）と、各光源１，３を図８〜図９に示すタイミングでそれぞれ点灯させた場合（表２のＢ〜Ｄ）とで虫の捕虫率を測定した結果を示しており、光源１，３を日没から日の出まで点灯させ続けた場合に比べて何れの場合でも、ヤガなどの夜行性の虫やオンシツコナジラミ、ハモグリバエなどの昼行性の虫の捕虫率を向上させることができた。
【００４４】
【表２】
2005151868.tif 000004
【００４５】
また、本実施形態の虫防除装置は圃場１０に用いられるものであるが、防除区域が図１０に示すような農業用ハウス１２の内側の領域の場合、この農業用ハウス１２のガラスやビニルからなる窓材１３に、誘引用光源３からの誘引光に含まれる主ピーク波長の光をカットするために、波長が３８０ｎｍ以下の光を遮光するＵＶカット処理を施しても良い。つまり窓材１３は、行動抑制光に対しては透光性を有するとともに、誘引光に含まれる主ピーク波長の光に対しては遮光性を有しているので、防除区域の外側に照射される誘引光を低減して防除区域の外側にいる虫が誘引されてくるのを抑制することができる。また行動抑制光は防除区域の外側にも照射されるので、防除区域の周辺にいる虫の行動も抑制することができる。尚、誘引光の殆どをカットできるように、窓材１３に対して波長が４１０ｎｍ以下の光を遮光するＵＶカット処理を施すのがより望ましい。
【図面の簡単な説明】
【００４６】
【図１】実施形態１の虫防除装置の設置状態を示した断面図である。
【図２】同上の行動抑制光源および誘引用光源の配置図である。
【図３】誘引用光源の分光特性と虫の走光性特性を示す図である。
【図４】同上の行動抑制光源および誘引用光源の別の配置例を示し、（ａ）は断面図、（ｂ）は平面図である。
【図５】同上の行動抑制光源と誘引用光源と反射板の配置を示し、（ａ）は断面図、（ｂ）は平面図である。
【図６】同上の行動抑制光の配光を説明する説明図である。
【図７】（ａ）は誘引用光源の点灯状態を示すタイムチャート、（ｂ）は行動抑制用光源の点灯状態を示すタイムチャートである。
【図８】（ａ）は誘引用光源の点灯状態を示すタイムチャート、（ｂ）は行動抑制用光源の点灯状態を示すタイムチャートである。
【図９】（ａ）は誘引用光源の点灯状態を示すタイムチャート、（ｂ）は行動抑制用光源の点灯状態を示すタイムチャートである。
【図１０】同上の虫防除装置の別の使用例を説明する説明図である。
【図１１】従来の虫防除装置の概略構成図である。
【図１２】同上に用いる黄色蛍光灯の分光分布特性を示す図である。
【符号の説明】
【００４７】
１    行動抑制用光源
２    捕虫器
３    誘引用光源
４    反射板
５    トラップ部
１０  圃場
【図１】
2005151868.tif 000005
【図２】
2005151868.tif 000006
【図３】
2005151868.tif 000007
【図４】
2005151868.tif 000008
【図５】
2005151868.tif 000009
【図６】
2005151868.tif 000010
【図７】
2005151868.tif 000011
【図８】
2005151868.tif 000012
【図９】
2005151868.tif 000013
【図１０】
2005151868.tif 000014
【図１１】
2005151868.tif 000015
【図１２】
2005151868.tif 000016